(57)【特許請求の範囲】
【請求項１】
電話番号が異なる少なくとも２つ以上の代行受信センターに接続して、複数の代行受信情報を入手することが可能な通信端末装置において、
前記各代行受信センターの電話番号を記憶する記憶手段と、
ユーザから操作を受け付ける操作手段と、
１又は複数の前記代行受信センターから代行受信した旨の情報を受信する情報受信手段と、
前記情報受信手段が受信した情報に基づいて、代行受信を行った１又は複数の代行受信センターを識別する識別手段と、
前記操作手段が、ユーザから所定の１操作を受け付けることにより、前記記憶手段に記憶されている電話番号のうち、前記識別手段が識別した１又は複数の代行受信センターの電話番号を用いて、当該代行受信センターに接続する接続手段と
を備えることを特徴とする通信端末装置。
【請求項２】
電話番号が異なる少なくとも２つ以上の代行受信センターに接続して、複数の代行受信情報を入手することが可能な通信端末装置に用いられる代行受信情報入手方法であって、
前記通信端末装置は、前記各代行受信センターの電話番号を記憶する記憶手段と、ユーザから操作を受け付ける操作手段とを備えており、
１又は複数の前記代行受信センターから代行受信した旨の情報を受信し、
受信した情報に基づいて、代行受信を行った１又は複数の代行受信センターを識別し、
前記操作手段が、ユーザから所定の１操作を受け付けることにより、前記記憶手段に記憶されている電話番号のうち、前記識別手段が識別した１又は複数の代行受信センターの電話番号を用いて、当該代行受信センターに接続する 
ことを特徴とする代行受信情報入手方法。
【発明の詳細な説明】
【０００１】
【発明の属する技術分野】
本発明は、複数の代行受信センターに接続して代行受信情報を確認する場合の操作性を向上した通信端末装置に関する。
【０００２】
【従来の技術】
電話機に代表される通信端末装置等の電話網においては、従来より代行受信サービスが提供されている。代行受信サービスとは、例えば、電話機宛ての留守番電話メッセージを電話機に代わって保管するセンターのように、通信端末の代わりに代行受信センターが通信端末宛ての情報（以下、代行受信情報と呼ぶ）を保管するサービスである。代行受信情報は、電話網を経由して送信可能なものであれば何でもよく、留守番電話メッセージの他、ＦＡＸ情報、音楽情報、画像情報等がある。
【０００３】
１台の通信端末装置は、複数の代行受信サービスを受けることができる。例えば電話機の場合、複数の留守番電話サービスを受けることができる。この場合、ユーザは、各留守番電話サービスのセンターにダイヤル発信して接続することにより各センターに保管されているメッセージの内容を確認する。
【０００４】
【発明が解決しようとする課題】
ところで上記従来の電話機においては、メッセージの内容を確認する際、ユーザは、各センターにダイヤル発信しなければならなかった。よって留守番電話サービスの数が増加すればその分ユーザがダイヤル発信する数が増えるので、ユーザにとってはその操作が煩わしいという問題があった。
【０００５】
この問題を解決するために、電話機に留守番電話サービスに対応する数分のＬＥＤを備え、センターよりメッセージを保管している旨の通知を受けて点滅するよう構成することもできる。この構成の場合、ユーザは、点滅しているＬＥＤに対応するセンターにダイヤル発信するだけでよいので、操作の煩わしさは解消される。しかしユーザは、まずどのセンターに対応するＬＥＤが点滅しているかを確認し、次にセンターの電話番号を思い出すか、あるいは電話帳で調べてから、その電話番号に電話をかけるという手順を踏まなければならない。ここにおいてユーザは、センターの電話番号を思い出すにしても、調べるにしても、点滅しているＬＥＤとセンターの電話番号との対応を間違えないようにしなければならない。このようにユーザは、メッセージがどちらのセンターに保管されているかを意識する必要があり、これがユーザに心理的な負担を与え、ユーザにとっては煩わしいという問題があった。
【０００６】
また、複数のセンターにメッセージが保管されている場合には、ユーザは複数のセンターに電話をかけなければならない。ここにおいてユーザは、まず一つのセンターの電話番号をダイヤル発信してメッセージを確認し、確認し終わったら一旦オンフック／オフフックして、次に他の一つのセンターの電話番号をダイヤル発信してメッセージを確認する、というようにダイヤル発信の操作を複数回繰り返さなければならない。このように電話機の操作性が悪く、ユーザにとっては操作が煩わしいという問題があった。
【０００７】
また、複数のセンターの電話番号に対応する複数のワンタッチダイヤルボタンを備えてダイヤル発信の操作を簡単にすることもできるが、その構成にしてもユーザがどちらのセンターにメッセージが保管されているかを意識させられるという心理的な負担は変わらず、また両センターにメッセージが保管されている場合には、一つのワンタッチダイヤルボタンを押下してメッセージを確認し、一旦オンフック／オフフックして他の一つのワンタッチダイヤルボタンを押下してメッセージを確認する、というワンタッチダイヤルボタンの押下とオンフック／オフフックとを繰り返さなければならないという操作性の悪さは変わらない。
【０００８】
この問題は電話機に限らず、複数の代行受信サービスを受けている通信端末装置においても同じことが言える。
上記問題に鑑み本発明は、代行受信センターに発信して代行受信情報を確認する場合の操作性を向上した通信端末装置の提供を目的とする。
【０００９】
【課題を解決するための手段】
上記課題を解決するため、本発明の通信端末装置は、電話番号が異なる少なくとも２つ以上の代行受信センターに接続して、複数の代行受信情報を入手することが可能な通信端末装置において、前記代行受信センターから代行受信した旨の情報を受信する情報受信手段と、前記情報受信手段が受信した情報に基づいて、代行受信を行った代行受信センターを識別する識別手段と、所定の操作により、前記識別手段が識別した代行受信センターに接続する接続手段とを備える。
【００１０】
電話番号が異なる少なくとも２つ以上の代行受信センターに接続して、複数の代行受信情報を入手する代行受信情報入手方法において、前記代行受信センターから代行受信した旨の情報を受信する第１ステップと、前記第１ステップで受信した情報に基づいて、代行受信を行った代行受信センターを識別する第２ステップと、所定の操作により、前記第２ステップで識別した代行受信センターに接続する第３ステップとを含むことを特徴とする。
【００１１】
【発明の実施の形態】
以下に本発明の実施形態について電話機を一例に図面を用いて説明する。
本実施形態の電話機は、２つの電話回線L1、L2に接続され、両回線それぞれが、異なる留守番電話サービスに契約しているものとする。電話回線L1、L2が契約している留守番電話サービスにおいてメッセージを保管するセンターをそれぞれセンターC1、C2とする。
（電話機の構成）
図１は、本実施形態における電話機の構成を示す。
【００１２】
同図において電話機１は、留守電信号検出部２、３、制御部１３の指示により電話回線L1とL2のオンフック、オフフックを制御するフック制御部４、５、電話回線L1とL2の通話路を切替える通話路切替部６、電話回線L1、L2と送受話器部８との間で送話信号及び受話信号の増幅を行う増幅部７、スピーカー及びマイクからなる送受話器部８と、液晶ディスプレイ等の表示部９、短縮ダイヤルメモリ部１０、操作部１１、検出フラグメモリ１２、制御部１３から構成される。
【００１３】
留守電信号検出部２、３はそれぞれ、センターC1、C2より交換機を介して送信されてくる留守電信号を検出し、検出した旨を制御部１３に通知する。
短縮ダイヤルメモリ部１０は、センターC1、C2の電話番号T1、T2を記憶する。図１に示すように短縮ダイヤルメモリ部１０は、電話番号T1、T2の末尾にポーズ信号を付加して記憶する。このポーズ信号は、電話番号T1、T2の末尾を示し、制御部１３は、このポーズ信号によって電話番号Ｔ１とT2とを区別する。
【００１４】
検出フラグメモリ１２は、留守電信号検出部２、３にそれぞれ対応する検出フラグF1、F2を保持する。検出フラグF1、Fはそれぞれ、センターC1、C2にメッセージが保管されているか否かを示す。より詳しくは、検出フラグF1、F2はそれぞれ、留守電信号検出部２、３が制御部１３に留守電信号を検出した旨を通知したとき、制御部１３によってオンにセットされる。また検出フラグF1、F2はそれぞれ、オンにセットされている場合に、その対応するセンターC1、C2に発信したとき、つまりセンターC1、C2に保管されているメッセージを確認したとき、制御部１３によってオフにリセットされる。
【００１５】
操作部１１は、操作部１１を具体的に示した拡大図１１’に示すように留守電キー１１１、再発信キー、保留キー、登録キー１１２、ダイヤルキー等を備える。
留守電キー１１１は、透明又は半透明の部材からなり、そのキーの内側にＬＥＤを備える。ＬＥＤは、検出フラグF1、F2のどちらかが、又は、両方がオンにセットされているとき点滅発光する。これによって留守電キー１１１は、センターC1、C２のどちらか、又は、両方にメッセージが保管されていることをユーザに示す。
【００１６】
登録キー１１２は、ユーザが電話番号T1、T2を短縮ダイヤルメモリに登録する際、電話番号T1、T2の入力に先立って押下される。
制御部１３は、内部メモリ（図外）に記憶されるプログラムを実行することにより、各構成要素を制御し、特に電話番号T1、T2の登録処理、検出フラグF1、F2の更新処理、センターC1、C2への発信処理等を行う。
【００１７】
以下に制御部１３による登録処理、更新処理、発信処理について図２〜図４のフローチャートを用いて説明する。
（登録処理）
図２は、制御部１３の登録処理を示すフローチャートである。
制御部１３は、登録キー１１２が押下されると（ステップ１）、続いて入力される電話番号T1、ポーズ信号、電話番号T2、ポーズ信号、の順に操作部１１からの入力を受付けて、短縮ダイヤルメモリ部１０に書き込む（ステップ２〜ステップ５）。ポーズ信号は、例えばダイヤルキー「＃」や「＊」等、制御部１３がポーズ信号として予め認識しているものであればなんでもよい。
（更新処理）
図３は、制御部１３の検出フラグ更新処理を示すフローチャートである。
【００１８】
同図において、制御部１３は、留守電信号検出部２より回線L1において留守電信号を検出した旨が通知されると（ステップ７）、検出フラグメモリ１２の検出フラグF1をオンにセットする（ステップ８）。
同様に制御部１３は、留守電信号検出部３より回線L2において留守電信号を検出した旨が通知されると（ステップ９）、検出フラグメモリ１２の検出フラグF2をオンに設定する（ステップ１０）。
【００１９】
制御部１３は、検出フラグF1とF2とのどちらか又は両方がオンにセットされている間、留守電キー１１１のＬＥＤを点滅させる（ステップ１１、１２）。
また制御部１３は、後に説明する発信処理によって検出フラグF1及びF2がともにオフにリセットされたとき、留守電キー１１１の点滅を停止する（ステップ１３、１４）。
【００２０】
このように留守電キー１１１が点滅することによって、ユーザは、センターC1、C2のいずれか、あるいは両方にメッセージが保存されていることがわかる。
（発信処理）
図４は、制御部１３の発信処理を示すフローチャートである。
同図において制御部１３は、留守電キー１１１の押下を受け付けると（ステップ１５）、検出フラグメモリF1、F2がそれぞれオンに設定されているか否かを判定する。
【００２１】
判定の結果、検出フラグF1がオンの場合（ステップ１６）、フック制御部４に回線L1をオフフックさせ、通話路切替部６を回線L1側に切替え、短縮ダイヤルメモリ部１０の先頭からポーズ信号までの番号、つまり電話番号T1を読み出し、その番号宛てに発信する（ステップ１７〜１９）。制御部１３は、発信の後、検出フラグF1をオフにする（ステップ２０）。
【００２２】
発信してセンターC1と接続することにより、保管されているメッセージがセンターC1より送信されてくるので、制御部１３は、それを受信して通話路切替部６、増幅部７、送受話器部８を介してそのメッセージを再生する。
受信が終了すると（ステップ２２）、制御部１３はフック制御部４に回線L1をオンフックさせる（ステップ２３）。
【００２３】
続いて制御部１３は、判定の結果、検出フラグF2がオンの場合（ステップ２４、フック制御部５に回線L2をオフフックさせ、通話路切替部６を回線L2側に切替え、短縮ダイヤルメモリ部１０の最初のポーズ信号から次のポーズ信号までの番号、つまり電話番号T2を読み出して、その番号宛てに発信する（ステップ２５〜２９）。制御部１３は、発信の後、検出フラグF2をオフにする（ステップ３０）。
【００２４】
発信してセンターC2と接続することにより、保管されているメッセージがセンターC2から送信されてくるので、制御部１３は、それを受信して通話路切替部６、増幅部７、送受話器部８を介してそのメッセージを再生する（ステップ３１）。
受信が終了すると（ステップ３２）、制御部１３はフック制御部５に回線L2をオンフックさせる（ステップ３３）。
【００２５】
このようにして制御部１３は、留守電キー１１１が押下されると、検出フラグF1、F2を読み出して、それらのうちオンに設定されている方、つまりメッセージが保管されている方のセンターの電話番号を読み出し、発信して接続し、メッセージを受信する。言い換えれば制御部１３は、留守電キー１１１が押下されたとき検出フラグF1、F2を読み出して、オンに設定されている方に発信し、オフの方には発信を禁止する。ここにおいてユーザの操作は、ステップ１５の留守電キー１１１の押下のみであり、それ以外にユーザ操作はない。
【００２６】
従来の電話機であれば、センターC1とC2の両方にメッセージが保管されている場合には、ユーザは、まず一方のセンターの電話番号にダイヤル発信してそのセンターに保管されているメッセージを確認し、次に他の一方のセンターの電話番号にダイヤル発信してそのセンターに保管されているメッセージを確認する、という操作が必要であった。これに対し、本実施形態の電話機は、センターC1とC２の両方にメッセージが保管されている場合であっても、ユーザは、留守電キー１１１を１回押下するだけで、制御部がセンターC1とC２への発信を行うので、従来に比べて本実施形態の電話機の操作性は格段優れている。
【００２７】
また本実施形態の電話機は、センターC1、C2にメッセージが保管されているか否かによって、オン／オフ設定される検出フラグF1、F2を備え、制御部１３は、オンに設定されている方のセンターに発信するので、片方のセンターにのみメッセージが保管されている場合に、ユーザはどちらのセンターにダイヤル発信するのかを意識する必要がなく、上記操作性の良さに加えて、ユーザの心理的な負担が軽くなるという効果がある。
【００２８】
以上本発明にかかる電話機について実施形態に基づいて説明したが本発明はこれらの実施形態に限らず、以下のようにしてもよい。
（１）本実施形態において電話機は、２回線を有する構成であったが、１回線のみ有し、１回線で２つの異なる留守番電話サービスに契約している構成でもよい。その場合、留守電信号検出部２及び３は、１つの回線に接続され、２つのセンターから送信されてくる留守電信号をそれぞれ検出する。通話路切替部６は不要となる。
（２）短縮ダイヤルメモリ部１０が記憶する電話番号は、２つに限らず、また留守番電話サービスのセンターの電話番号に限らない。例えば、
▲１▼地域毎の天気予報サービスの電話番号を複数記憶する、ユーザの銀行預金残高照会サービスの電話番号を複数記憶する、というように各種情報提供サービスの電話番号を複数記憶するようにしても良い。
▲２▼複数の電話番号を１人で所有している相手方の電話番号を複数記憶するようにしても良い。
▲３▼複数人の電話番号を記憶するようにしても良い。
【００２９】
このように複数の電話番号を記憶させておけば、電話機は、ユーザが留守電キー１１１を１回押下するだけで、短縮ダイヤルメモリ部１０に記憶される複数の電話番号に順次発信する。ユーザが所定の複数の電話番号に一時に発信したい場合に、操作が簡単になるので有用である。なおこの場合、留守電信号検出部２、３、検出フラグメモリ部１２は不要となる。
（３）留守電キー１１１の代わりに短縮ダイヤルにしてもよい。
（４）本発明は、携帯電話機に適用しても良い。例えば、PDC（Personal Digital Cellular）とPHS（Personal Handy-phone System）とを兼用できる携帯電話機いおいては電源オフのとき留守番電話モードになり、その間PDC、PHSそれぞれの留守番電話サービスセンターにメッセージが保管される。そして電源オンになると、それぞれのセンターよりメッセージ有無データが送られてくるよう構成されている。よって携帯電話機に本発明を適用する場合、構成は次のようになる。すなわち、回線L1、回線L2をそれぞれPDC、PHSとみなし、留守電信号検出部２、３はそれぞれPDC、PHSのセンターより送信されるメッセージ有無データから「メッセージ有り」を検出して制御部１３に通知し、短縮ダイヤルメモリ部１０は、PDC、PHSのセンターの電話番号を記憶する。このように構成すれば、留守電キー１１１が押下されたとき制御部１３は、PDCとPHSの電話番号のうち、検出フラグがセットされている電話番号宛てに発信するので、ユーザは、従来のように両方のセンターにメッセージが保管されている場合にPDCとPHSのセンター２箇所にダイヤル発信しなければならないという煩わしさから解放される。
（５）実施形態においては電話機を例として本発明を実施しているが、電話機に限らず、複数のセンターに発信して接続し情報提供を受けることのできる情報通信端末であれば何でも良い。
【００３０】
【発明の効果】
上記課題を解決するため、本発明の通信端末装置は、電話番号が異なる少なくとも２つ以上の代行受信センターに接続して、複数の代行受信情報を入手することが可能な通信端末装置において、前記代行受信センターから代行受信した旨の情報を受信する情報受信手段と、前記情報受信手段が受信した情報に基づいて、代行受信を行った代行受信センターを識別する識別手段と、所定の操作により、前記識別手段が識別した代行受信センターに接続する接続手段とを備える。
【００３１】
この構成によれば、ユーザが所定の操作を行うだけで、識別手段により代行受信情報を保管しているものと識別された代行受信センターに接続手段が接続するので、従来の通信端末装置と比較して操作量が少なく簡単であるという効果がある。
電話番号が異なる少なくとも２つ以上の代行受信センターに接続して、複数の代行受信情報を入手する代行受信情報入手方法において、前記代行受信センターから代行受信した旨の情報を受信する第１ステップと、前記第１ステップで受信した情報に基づいて、代行受信を行った代行受信センターを識別する第２ステップと、所定の操作により、前記第２ステップで識別した代行受信センターに接続する第３ステップとを含むことを特徴とするので、上記と同様の効果がある。
【図面の簡単な説明】
【図１】本実施形態における電話機の構成を示す。
【図２】制御部１３の登録処理を示すフローチャートである。
【図３】制御部１３の検出フラグ更新処理を示すフローチャートである。
【図４】制御部１３の発信処理を示すフローチャートである。
【符号の説明】
１      電話機
２、３  留守電信号検出部
４、５  フック制御部
６      通話路切替部
７      増幅部
８      送受話器部
９      表示部
１０    短縮ダイヤルメモリ部
１１    操作部
１２    検出フラグメモリ
１３    制御部
【図１】
0003717716.tif 000002
【図２】
0003717716.tif 000003
【図３】
0003717716.tif 000004
【図４】
0003717716.tif 000005